(57)【要約】【課題】  任意選択モードから自動選択モードに切り替えた時でも、ＡＦの開始をスムーズに行わせ、合焦の速度低下を防ぐ。【解決手段】  任意選択モード、自動選択モードのいずれかを示すＡＦモード、任意選択ＡＦフレーム、自動選択開始ＡＦフレームを設定する設定手段と、ＡＦ開始が指示された後、任意選択ＡＦフレームが変化したことを検出する検出手段と、ＡＦフレームの変化が検出された場合に、自動選択開始ＡＦフレームを変化した任意選択ＡＦフレームに連動させる連動手段（Ｓ４０５）と、設定手段による設定、および連動手段による自動選択開始ＡＦフレームの連動を記憶する記憶手段とを有する。【選択図】  図５
2015055775.tif 000002
【特許請求の範囲】
【請求項１】
ＡＦ開始を指示するためのＡＦ開始指示手段と、
ＡＦフレームの任意選択モード、自動選択モードのいずれかを示すＡＦモード、および前記任意選択モードでのＡＦフレーム、前記自動選択モードでの開始ＡＦフレームを設定する設定手段と、
前記ＡＦ開始が指示された後、前記任意選択モードで選択されたＡＦフレームが変化したことを検出する検出手段と、
前記検出手段によって前記ＡＦフレームの変化が検出された場合に、前記自動選択モードでの開始ＡＦフレームを前記任意選択モードで変化したＡＦフレームに連動させる連動手段と、
前記設定手段による設定、および前記連動手段による前記開始ＡＦフレームの連動を記憶する記憶手段とを有することを特徴とする撮像装置。
【請求項２】
前記連動手段による前記開始ＡＦフレームの連動を実行するかしないかを決定する決定手段を有することを特徴とする請求項１に記載の撮像装置。
【請求項３】
前記記憶手段に記憶された前記開始ＡＦフレームの連動を読み出す読出手段を有することを特徴とする請求項１または２に記載の撮像装置。
【請求項４】
前記検出手段は、前記任意選択モードで選択されたＡＦフレームの変化を検出するのみならず、前記自動選択モードで被写体を捕捉しているＡＦフレームの変化を検出し、
前記連動手段は、前記自動選択モードでの開始ＡＦフレームを前記任意選択モードで変化したＡＦフレームに連動させるのみならず、前記任意選択モードで選択されたＡＦフレームを前記自動選択モードで変化したＡＦフレームに連動させることを特徴とする請求項１に記載の撮像装置。
【請求項５】
前記連動手段による前記開始ＡＦフレームの連動および前記任意選択モードで選択されたＡＦフレームの連動を、実行するかしないかを決定する決定手段を有することを特徴とする請求項４に記載の撮像装置。
【請求項６】
前記記憶手段に記憶された前記開始ＡＦフレームの連動または前記任意選択モードで選択されたＡＦフレームの連動を、読み出す読出手段を有することを特徴とする請求項４または５に記載の撮像装置。
【請求項７】
ＡＦ開始を指示するためのＡＦ開始指示手段と、
ＡＦフレームの任意選択モード、自動選択モードのいずれかを示すＡＦモード、および前記任意選択モードでのＡＦフレーム、前記自動選択モードでの開始ＡＦフレームを設定する設定手段とを有する撮像装置の制御方法であって、
前記ＡＦ開始が指示された後、前記任意選択モードで選択されたＡＦフレームが変化したことを検出する検出ステップと、
前記検出ステップにて前記ＡＦフレームの変化が検出された場合に、前記自動選択モードでの開始ＡＦフレームを前記任意選択モードで変化したＡＦフレームに連動させる連動ステップと、
前記設定ステップにおける設定、および前記連動ステップにおける前記開始ＡＦフレームの連動を記憶する記憶ステップとを有することを特徴とする撮像装置の制御方法。
【請求項８】
前記検出ステップでは、前記任意選択モードで選択されたＡＦフレームの変化を検出するのみならず、前記自動選択モードで被写体を捕捉しているＡＦフレームの変化を検出し、
前記制御ステップでは、前記自動選択モードでの開始ＡＦフレームを前記任意選択モードで変化したＡＦフレームに連動させるのみならず、前記任意選択モードで選択されたＡＦフレームを前記自動選択モードで変化したＡＦフレームに連動させることを特徴とする請求項７に記載の撮像装置の制御方法。
【発明の詳細な説明】
【技術分野】
【０００１】
本発明は、電子スチルカメラ等の撮像装置に関し、特に複数のＡＦフレームを供えた撮像装置および撮像装置の制御方法に関するものである。
【背景技術】
【０００２】
従来、カメラのオートフォーカス（以下ＡＦと記す）を開始する時のＡＦフレーム設定では、合焦させたいＡＦフレームをユーザーが任意に選択する任意選択モードと、カメラが自動でＡＦフレームを選んでくれる自動選択モードがある。
【０００３】
自動選択モードの場合、カメラが自動でＡＦフレームを選んでくれるが、ＡＦを開始する時のＡＦフレームは、自分で選びたいというユーザーからの要望を受けて、近年のカメラでは、「自動選択時の開始ＡＦフレーム」を、任意選択モードで設定する任意選択ＡＦフレームと独立の設定値として設定可能になっているカメラがある。
【０００４】
また更に最近のカメラでは、複数の釦それぞれに、ユーザーが任意に機能を割り当てることが可能になっているカメラがある。この機能によって、例えば、ＡＦの開始釦を押下した時は、任意選択モードでＡＦを開始し、露出を固定するＡＥロック釦を押下した時は、自動選択モードでＡＦを開始する、といったカスタマイズが可能になっており、任意選択モードと自動選択モードを撮影中に頻繁に切り替えながら撮影するユーザーが増えている。当然であるが、任意選択モードになっている時は、動く被写体に応じて、頻繁に任意選択ＡＦフレームを変更する。
【０００５】
ところが、自動選択モードに切り替えたくなって、切り替えると、自動選択モードには切り替わるが、開始ＡＦフレームが任意選択ＡＦフレームと独立である為に、直前に変更していた任意選択ＡＦフレームと異なる位置で、ＡＦを開始してしまう。これにより、全く別な位置からＡＦを開始してしまうことがシーンよっては、発生し、合焦速度が遅くなり、決定的なシーンを逃してしまうことがある。
【０００６】
出来るだけ素早く、ＡＦを開始できるようにする為に、例えば特許文献１のような、ライブビュー状態から位相差ＡＦする際に、顔検知している個所に連動した、任意選択ＡＦフレームをライブビュー画面上に表示させ、位相差ＡＦするといった、方法が提案されている。
【先行技術文献】
【特許文献】
【０００７】
【特許文献１】特開２０１０−２８２１０７号公報
【発明の概要】
【発明が解決しようとする課題】
【０００８】
しかし、特許文献１に開示された従来技術では、ユーザーが任意にＡＦフレームを選択する任意選択モードから自動選択モードに切り替えた場合には、問題が解決できない。
【０００９】
（発明の目的）
本発明の目的は、任意選択モードから自動選択モードに切り替えた時でも、ＡＦの開始をスムーズに行わせ、合焦の速度低下を防ぎ、失敗写真を減らすことができる撮像装置および撮像装置の制御方法を提供することである。
【課題を解決するための手段】
【００１０】
上記目的を達成するために、本発明の撮像装置は、ＡＦ開始を指示するためのＡＦ開始指示手段と、ＡＦフレームの任意選択モード、自動選択モードのいずれかを示すＡＦモード、および前記任意選択モードでのＡＦフレーム、前記自動選択モードでの開始ＡＦフレームを設定する設定手段と、前記ＡＦ開始が指示された後、前記任意選択モードで選択されたＡＦフレームが変化したことを検出する検出手段と、前記検出手段によって前記ＡＦフレームの変化が検出された場合に、前記自動選択モードでの開始ＡＦフレームを前記任意選択モードで変化したＡＦフレームに連動させる連動手段と、前記設定手段による設定、および前記連動手段による前記開始ＡＦフレームの連動を記憶する記憶手段とを有することを特徴とするものである。
【発明の効果】
【００１１】
本発明によれば、任意選択モードから自動選択モードに切り替えた時でも、ＡＦの開始をスムーズに行わせ、合焦の速度低下を防ぎ、失敗写真を減らすことができる。
【図面の簡単な説明】
【００１２】
【図１】本発明の実施例としての撮像装置の構成を示すブロック図である。
【図２】実施例の外観図である。
【図３】実施例のＡＦ設定画面およびファインダ内表示のイメージ図である。
【図４】実施例の動作を示すフローチャートである。
【図５】図４のＡＦフレーム変更処理を示すフローチャートである。
【図６】実施例のＡＦフレーム変化時の連動設定を行う為の設定画面を示す図である。
【図７】実施例における任意選択モードでの開始ＡＦフレームの連動を示すファインダ内表示のイメージ図である。
【図８】実施例における自動選択モードでの任意選択ＡＦフレームの連動を示すファインダ内表示のイメージ図である。
【発明を実施するための形態】
【００１３】
本発明を実施するための形態は、以下の実施例に記載される通りである。
【実施例】
【００１４】
以下に、本発明の一実施例である電子スチルカメラなどの撮像装置を、添付の図面に基づいて詳細に説明する。図１は本発明の一実施例としての撮像装置の構成を示すブロック図である。
【００１５】
レンズユニット１００は、交換可能な撮影レンズを搭載するレンズユニットである。レンズ５は通常、複数枚のレンズから構成されるが、ここでは簡略して一枚のレンズのみで示している。通信端子６はレンズユニット１００が撮像装置本体２００側と通信を行う為の通信端子であり、通信端子１０は撮像装置本体２００がレンズユニット１００側と通信を行う為の通信端子である。レンズユニット１００は、この通信端子６，１０を介してマイクロコンピュータ４０と通信し、内部のレンズシステム制御部４によって絞り駆動部２を介して絞り１の制御を行い、ＡＦ駆動部３を介して、レンズ５の位置を変位させることで焦点を合わせる。
【００１６】
ＡＥセンサ１５は、レンズユニット１００を通した被写体の輝度を測光する。ＡＦセンサ１１は、マイクロコンピュータ４０にデフォーカス量情報を出力する。マイクロコンピュータ４０はそれに基づいてレンズユニット１００を制御する。クイックリターンミラー１２は、露光の際にマイクロコンピュータ４０から指示されて、不図示のアクチュエータによりアップダウンされる。
【００１７】
撮影者は、ペンタプリズム１４とファインダの接眼レンズ１６を介して、フォーカシングスクリーン１３を観察することで、レンズユニット１００を通して得た被写体の光学像の焦点や構図の確認が可能となる。
【００１８】
フォーカルプレーンシャッタ１７は、マイクロコンピュータ４０の制御で撮像素子２０の露光時間を自由に制御できるフォーカルプレーンシャッタである。光学フィルタ１８は一般的にローパスフィルタなどから構成され、フォーカルプレーンシャッタ１７より入ってくる光の高周波成分をカットして、撮像素子２０に被写体像を導光する。撮像素子２０は、一般的にＣＣＤやＣＭＯＳ等が用いられる撮像素子であり、レンズユニット１００を通して撮像素子２０上に結像された被写体像を光電変換して電気信号として取り込む。
【００１９】
ＡＭＰ部２１は、取り込まれた電気信号に対して、設定されている撮影感度に応じたゲインで撮影信号を増幅する。Ａ／Ｄ変換部２２は撮像素子２０によって電気信号に変換されたアナログ信号をデジタル信号に変換する。画像処理部２３は、Ａ／Ｄ変換部２２によってデジタル信号に変換された画像データに対して、フィルタ処理、色変換処理、ガンマ／ニー処理を行い、メモリコントローラ２７に出力する。また、画像処理部２３はＤ／Ａ変換部も内蔵している。画像処理部２３はＡ／Ｄ変換部２２によってデジタル信号に変換された画像データやメモリコントローラ２７により入力される画像データをアナログ信号に変換して液晶駆動部２４を介して液晶表示部２５に出力することもできる。この画像処理部２３による画像処理及び表示処理は、マイクロコンピュータ４０により切り替えられる。また、マイクロコンピュータ４０は、撮影画像のカラーバランス情報をもとにホワイトバランス調整を行う。
【００２０】
液晶表示部２５は画像を表示するための背面モニタである。画像を表示するディスプレイであれば液晶方式に限らず、有機ＥＬなど他の方式のディスプレイであってもよい。メモリコントローラ２７は、画像処理部２３から入力された未処理の画像データをバッファメモリ２６に格納したり、或いは画像処理済みの画像データを記録媒体２８に格納したりする。また、逆にバッファメモリ２６や記録媒体２８から画像データを取り込んで画像処理部２３に出力したりもする。また、メモリコントローラ２７は、外部インタフェース２９を介して送られてくる画像データを記録媒体２８に格納したり、逆に記録媒体２８に格納されている画像データを外部インタフェース２９を介して外部に出力したりすることも可能である。外部インタフェース２９としては、ＵＳＢ、ＩＥＥＥ、ＨＤＭＩ（登録商標）などのインタフェースが例として挙げられる。記録媒体２８は、メモリカードなどの着脱可能な記録媒体である。ただし内蔵メモリであってもよい。タイミング制御部３２を介してマイクロコンピュータ４０は、撮像素子２０の駆動タイミングを制御する。
【００２１】
電源制御部３５は、ＡＣ電源部３０、もしくは２次電池部３１より供給され電源を制御する回路である。電源制御部３５はマイクロコンピュータ４０から指示を受けて電源のオンオフを行う。また電源制御部３５は電源状態検知部３４により検知された現在の電源状態の情報や電源種類検知部３３により検知された現在の電源の種類の情報をマイクロコンピュータ４０に通知することも行う。マイクロコンピュータ４０はシャッタ制御部３６を介してフォーカルプレーンシャッタ１７を制御する。
【００２２】
不揮発性メモリ３８は不揮発性の記録媒体であり、ユーザーが任意に設定したシャッタ速度、絞り値、撮影感度などの設定値やその他の各種データを撮像装置に電源が入れられていない状態でも、保存することができる。揮発性メモリ３９は、撮像装置の内部状態や着脱可能な記録媒体２８の情報など、一時的に記憶しておきたいデータを保存しておく。操作部７０は、ユーザーからの操作を受け付ける入力部としての各種操作部材である。操作部７０には、図２に示されるように、少なくとも以下の操作部が含まれる。レリーズ釦２０１、メイン電子ダイヤル２０２、サブ電子ダイヤル２０３、電源スイッチ２０４、プロテクト釦２０５、メニュー釦２０６、削除釦２０７、拡大モード釦２０８、再生指示釦２０９が含まれる。また、ＡＦ設定画面読出釦２１０、マルチコントローラ２１１、連動ＡＦフレーム読出釦２１２が含まれる。
【００２３】
マイクロコンピュータ４０は、撮像装置本体２００に含まれる各部を制御する制御部である。マイクロコンピュータ４０は、不揮発性メモリ３８に記録されたプログラムを、揮発性メモリ３９をワークメモリとして展開し、実行することで後述の各種処理を実行する。
【００２４】
図２（ａ）は、撮像装置本体２００の正面からの外観形状を示した図であり、図２（ｂ）は、撮像装置本体２００の背面からの外観形状を示した図である。図１と共通する部分は、同じ記号で示している。
【００２５】
レリーズ釦２０１は、撮影の準備指示及び撮影指示を行うための釦であり、釦を半押しすることで、被写体の輝度の測定や合焦を行う。また、レリーズ釦２１０を全押しすることでシャッタが切られ、画像の撮影が行われる。メイン電子ダイヤル２０２は回転操作部材であり、ユーザーは、このメイン電子ダイヤル２０２を回すことでシャッタ速度や絞りなどの設定値の設定を行ったり、拡大モードでの拡大倍率の微調整を行ったりする。サブ電子ダイヤル２０３は回転操作部材であり、ユーザーは、このサブ電子ダイヤル２０３を回すことで絞りや露出補正などの設定値の設定を行ったり、画像表示状態での画像の１枚送り操作などを行ったりする。
【００２６】
電源スイッチ２０４は電源のＯＮ及びＯＦＦを行うための操作部材である。プロテクト釦２０５は、撮像装置内外の記録媒体に保存されている画像に対して、プロテクトやレーティングといった処理を施す為の釦である。メニュー釦２０６は、各種設定画面を液晶表示部２５に表示させる為の釦である。削除釦２０７は、撮像装置内外の記録媒体に保存されている画像に対して、削除を指示する釦である。拡大モード釦２０８は、再生状態において、拡大モードへの遷移指示（拡大モードの開始指示）、及び拡大モードから抜ける指示（拡大モードの終了指示）を行う操作を受付ける釦である。再生指示釦２０９は、撮像装置内外の記録媒体に保存されている画像を液晶表示部２５に表示させる釦である。
【００２７】
ＡＦ設定画面読出釦２１０は、ＡＦモードやＡＦフレームの設定をするための釦である。この釦２１０を押下すると例えば図３（ａ）に示すようなＡＦ設定画面２１３が現れる。ユーザーは、このＡＦ設定画面読出釦２１０を押下し、メイン電子ダイヤル２０２やサブ電子ダイヤル２０３を回すことで選択及び設定が可能となる。
【００２８】
マルチコントローラ２１１は、ＡＦの開始ポイントであるＡＦフレームの設定を行ったり、拡大画像表示状態において、拡大枠（拡大している範囲）の移動を行ったりするための複数方向に操作可能な操作部材である。
【００２９】
連動ＡＦフレーム読出釦２１２は、不揮発性メモリ３８に記憶されている連動ＡＦフレームを読み出すための釦である。
【００３０】
図３（ａ）は、ＡＦモードやＡＦフレームを設定するためのＡＦ設定画面２１３を示す。ＡＦモード表示エリア２１４には、ＡＦモードとして任意選択モードか自動選択モードのいずれかが設定されているかが表示される。ＡＦフレーム表示エリア２１５には、任意選択モードで選択（設定）されたＡＦフレーム２１６や、自動選択モードで設定された開始ＡＦフレーム２１７が表示される。これらの表示事項は、不揮発性メモリ３８のＡＦ設定用記憶領域に記憶されているものである。また、後述する連動ＡＦフレームも不揮発性メモリ３８のＡＦ連動用記憶領域に記憶される。不揮発性メモリ３８が記憶手段に相当する。なお、図３（ｂ）は任意選択モードでのファインダ内表示のイメージ図、図３（ｃ）は自動選択モードでのファインダ内表示のイメージ図である。
【００３１】
次に、図４〜図６を参照して、本発明の実施例による、ＡＦモードを自動選択モードと任意選択モードの間で瞬時に切り替えた時のＡＦの開始ＡＦフレームの変更の仕方について説明する。
【００３２】
まずステップＳ３０１では、ＡＦモードに任意選択モードが選択されていた時のＡＦフレームを不揮発性メモリ３８から読み出す。
【００３３】
ステップＳ３０２では、ＡＦモードに自動選択モードが選択されていた時の開始ＡＦフレームを不揮発性メモリ３８から読み出す。
【００３４】
ステップＳ３０３では、設定ＡＦモードを不揮発性メモリ３８から読み出す。
ステップＳ３０４では、半押し時にＡＦ開始指示手段として機能するレリーズ釦２０１が押下されているか否か判定し、押下されていればステップＳ３０５に進み、押下されていなければステップＳ３０６に進む。
【００３５】
ステップＳ３０５では、ＡＦセンサ１１より得られるデフォーカス量の情報を元に、マイクロコンピュータ４０がレンズユニット１００を制御し、ピントを合わせる。
【００３６】
ステップＳ３０６では、現在カメラが選択しているＡＦフレームに変化があるか否かの判定を行い、変化があった場合は、ステップＳ３０７に進み、変化がなければステップＳ３０８に進む。ステップＳ３０６では、任意選択モードで選択されたＡＦフレームの変化と自動選択モードで被写体を捕捉しているＡＦフレームの変化を検出する。ステップＳ３０６を実行するマイクロコンピュータ４０が、ＡＦフレームの変化を検出する検出手段に相当する。
【００３７】
ステップＳ３０７では、ＡＦフレームの変更処理を行う。処理については、後に詳述する。
【００３８】
ステップＳ３０８では、連動ＡＦフレーム読出釦２１２が押下されているか否か判定し、押下されていればステップＳ３０９に進み、押下されていなければステップＳ３１０に進む。
【００３９】
ステップＳ３０９では、連動ＡＦフレームを不揮発性メモリ３８から読み出す。
【００４０】
ステップＳ３１０では、設定ＡＦフレームを不揮発性メモリ３８から再度読み出す。
【００４１】
ステップＳ３１１では、電源スイッチ２０４がＯＦＦされているか否かの判定を行い、ＯＦＦされていれば終了し、ＯＦＦされていなければステップＳ３０４に進む。
【００４２】
次に図５を用いて、ＡＦフレームの変更処理について詳しく説明する。
【００４３】
まずステップＳ４０１では、ステップＳ３０３で呼び出した現在のＡＦモードが自動選択モードであるか否か判定し、任意選択モードであればステップＳ４０２に進み、自動選択モードであればステップＳ４０４に進む。
【００４４】
ステップＳ４０２では、変化したＡＦフレームにステップＳ３０１で読み出した任意選択のＡＦフレームを変更し、不揮発性メモリ３８のＡＦ設定用記憶領域に記憶させる。
ステップＳ４０３では、ＡＦフレーム変化時の連動設定がされているか否かの判定を行い、設定されていればステップＳ４０５に進み、設定されていなければ終了する。
【００４５】
ＡＦフレーム変化時の連動設定は、ＡＦフレームが変化した時、その変化を自動選択モードと任意選択モードのＡＦフレーム共に反映し、連動させるか否かを決める設定値であり、図６に示すイメージ図で示されるＧＵＩ設定画面で設定される。
【００４６】
ステップＳ４０４では、ステップＳ４０３と同様に、ＡＦフレーム変化時の連動設定がされているか否かの判定を行い、設定されていればステップＳ４０６に進み、設定されていなければ終了する。ステップＳ４０３、Ｓ４０４を実行するマイクロコンピュータ４０が、ＡＦフレームの連動を決定する決定手段に相当する。
【００４７】
ステップＳ４０５では、変化したＡＦフレームにステップＳ３０２で読みだした自動選択モードでの開始ＡＦフレームを変更し、不揮発性メモリ３８のＡＦ連動用記憶領域に記憶させる。
【００４８】
ステップＳ４０６では、変化したＡＦフレームにステップＳ３０１で読みだした任意選択モードでのＡＦフレームを変更し、不揮発性メモリ３８のＡＦ連動用記憶領域に記憶させる。ステップＳ４０５、Ｓ４０６は、自動選択開始ＡＦフレーム、任意選択ＡＦフレームをＡＦフレームに連動させる連動手段に相当する。
【００４９】
次に図７〜図８を用いて、図４、図５で示すように読み出されたＡＦフレームとＡＦモードがファインダ内表示でどのように変化するかを具体的に説明する。
【００５０】
まずステップＳ３０１で読み出したＡＦフレームが中央、ステップＳ３０３で読み出した設定ＡＦモードが任意選択だった時に、ＡＦフレームが中央から右方向２つ隣に移動した場合、ファインダ内の表示は、図７（ａ）で示すように表示される。図７（ａ）中の矢印は、ＡＦフレームの移動の軌跡が分かりやすくなるように表記したもので、実際のファインダ内の表示では矢印は表示されない。
【００５１】
図７（ａ）で示すようにＡＦフレームが中央から右方向２つ隣に移動した場合、ステップＳ４０３で、ＡＦフレーム変化時の連動設定がされていなかったなら、ＡＦフレームの変化は任意選択モードでのＡＦフレームに反映されるのみとなる。この時に、ステップＳ３０８で読み出される連動ＡＦフレームが自動選択だった場合、ファインダ内の表示は、図７（ｂ）で示すように表示され、ステップＳ３０２で読み出した自動選択モードでの開始ＡＦフレームのまま自動選択モードのＡＦが開始されることになる。
【００５２】
図７（ａ）で示すようにＡＦフレームが中央から右方向２つ隣に移動した場合、ステップＳ４０３で、ＡＦフレーム変化時の連動設定がされていたなら、ＡＦフレームの変化は任意選択モードでのＡＦフレームに反映されることに加え、自動選択モードでの開始ＡＦフレームにも反映されることとなる。この時に、ステップＳ３０８で読み出される連動ＡＦフレームが自動選択だった場合、ファインダ内の表示は、図７（ｃ）で示すように表示され、直前に変化したＡＦフレーム位置から自動選択モードのＡＦが開始されることになる。
【００５３】
次に図８を用いて説明をする。
【００５４】
まずステップＳ３０２で読みだした自動選択モードでの開始ＡＦフレームが中央、ステップＳ３０３で読みだした設定ＡＦモードが自動選択だった時に、自動選択モードでの開始ＡＦフレームが中央から右斜め方向に移動した場合、ファインダ内の表示は、図８（ａ）で示すように表示される。図８（ａ）中の矢印は、ＡＦフレームの移動の軌跡が分かりやすくなるように表記したもので、実際のファインダ内の表示では矢印は表示されない。
【００５５】
図８（ａ）で示すように自動選択モードでの開始ＡＦフレームが中央から右斜め方向に移動した場合、ステップＳ４０４で、ＡＦフレーム変化時の連動設定がされていなかったなら、ＡＦフレームの変化は自動選択モードでの開始ＡＦフレームに反映されるのみとなる。この時に、ステップＳ３０８で読み出される連動ＡＦフレームが任意選択だった場合、ファインダ内の表示は、図８（ｂ）で示すように表示され、ステップＳ３０１で読みだした任意選択モードでのＡＦフレームのまま任意選択モードのＡＦが開始されることになる。
【００５６】
図８（ａ）で示すように自動選択モードでの開始ＡＦフレームが中央から右斜め方向に移動した場合、ステップＳ４０４で、ＡＦフレーム変化時の連動設定がされていたなら、ＡＦフレームの変化は自動選択モードでの開始ＡＦフレームに反映されることに加え、任意選択モードでのＡＦフレームにも反映されることとなる。この時に、ステップＳ３０８で読み出される連動ＡＦフレームが任意選択だった場合、ファインダ内の表示は、図８（ｃ）で示すように表示され、直前に変化したＡＦフレーム位置から任意選択モードのＡＦが開始されることになる。
【００５７】
以上のように制御することで、ＡＦフレームを頻繁に変化させ且つ、任意選択モードと自動選択モードに頻繁に切り替えながら撮影を行うような場合でも、直前に変化したＡＦフレームからＡＦを開始することが出来るようになり、ＡＦの開始をスムーズに行わせることが可能になる。これにより、合焦の速度低下を防ぎ、失敗写真を減らすことが出来るようになる。
【００５８】
また設定により、任意選択のＡＦフレームと自動選択時の開始ＡＦフレームを別々に使用することも可能であり、ユーザーの撮影の仕方によって柔軟に使い分けることも可能となる。
【００５９】
以上説明した実施例においては、連動設定がされた場合、任意選択モードで変化したＡＦフレームに自動選択モードでの開始ＡＦフレームが連動し、自動選択モードで変化したＡＦフレームに任意選択モードでのＡＦフレームが連動するようになっている。これに対して、本発明では、連動設定がされた場合、任意選択モードで変化したＡＦフレームに自動選択モードでの開始ＡＦフレームが連動することだけを可能にすることもできる。この場合は、図５におけるステップＳ４０４、Ｓ４０６を削除し、ステップ４０１のＮＯの場合には直ちに終了するようにすればよい。
【００６０】
以上、本発明の好ましい実施例について説明したが、本発明はこの実施例に限定されず、その要旨の範囲内で種々の変形及び変更が可能である。
【符号の説明】
【００６１】
３８  不揮発性メモリ
４０  マイクロコンピュータ
２０１  レリーズ釦（ＡＦ開始釦）
２１０  ＡＦ設定画面読出釦
２１２  連動ＡＦフレーム読出釦
【図１】
2015055775.tif 000003
【図２】
2015055775.tif 000004
【図３】
2015055775.tif 000005
【図４】
2015055775.tif 000006
【図５】
2015055775.tif 000007
【図６】
2015055775.tif 000008
【図７】
2015055775.tif 000009
【図８】
2015055775.tif 000010